(57)【特許請求の範囲】
【請求項１】
第１の方向で接続相手と嵌合接続されるコネクタであって、
前記接続相手に接続するための可撓性を有する板状又はシート状の接続部材と、互いに協働して前記接続部材を両面側から挟み込んだベース及びカバーとを含み、
前記接続部材は、前記第１の方向にのびて前記接続相手に接続する第１の部分と、前記第１の方向に交差する第２の方向にのびた第２の部分と、前記第１の部分と前記第２の部分との間の折曲部とを有し、
前記第１の部分のうち少なくとも前記折曲部に隣接する部分に、前記第１の方向及び前記第２の方向に直交する第３の方向で前記接続部材の寸法を大にする耳部を設け、
前記カバーに、嵌合操作時に前記耳部の縁を前記第１の方向で押す作用部を設けた
ことを特徴とするコネクタ。
【請求項２】
前記第２の部分を前記カバーに向けて押圧するバネを備えた、請求項１に記載のコネクタ。
【請求項３】
前記ベースは導電性のベースグランドを備え、前記バネは前記ベースグランドに設けたものである、請求項１又は２に記載のコネクタ。
【請求項４】
前記第２の部分は前記ベースに前記第１の方向で対向したグランド用導体を備え、前記バネは前記グランド用導体に圧接している、請求項２又は３に記載のコネクタ。
【請求項５】
前記第１の部分には、少なくとも、前記第１の方向において前記第２の部分とは反対側の縁の近傍に、補強板が貼り付けられている、請求項１から４のいずれか一項に記載のコネクタ。
【請求項６】
前記ベースは前記第１の部分に対向した受け部を有し、前記受け部には、前記第１の部分の前記第１の方向における自由端を覆う保護部が設けられている、請求項１から５のいずれか一項に記載のコネクタ。
【請求項７】
前記ベースは、前記第１の方向にのびて前記耳部を受け入れた耳部ガイドを有し、前記作用部は前記耳部ガイドの端部に位置している、請求項１から６のいずれか一項に記載のコネクタ。
【請求項８】
前記ベースは、前記第１の部分と前記バネとの中間に、前記カバーを取り付けるためのカバー取付部を有する、請求項７に記載のコネクタ。
【請求項９】
前記ベースに対し前記カバーを前記第１の方向で案内する案内機構を備え、前記カバーは、前記カバー取付部に前記第１の方向で係合して前記ベースからの離脱を阻止する係合部を有する、請求項８に記載のコネクタ。
【請求項１０】
前記ベースに対し前記カバーを前記第２の方向で案内する案内機構を備え、前記カバーは、前記カバー取付部に前記第２の方向で係合して前記ベースからの離脱を阻止する係合部を有する、請求項８に記載のコネクタ。
【請求項１１】
前記ベースは、前記第３の方向における両端部に、前記接続相手との嵌合接続を機械的にロックするロック機構を備えた、請求項１から１０のいずれか一項に記載のコネクタ。
【発明の詳細な説明】
【技術分野】
【０００１】
本発明は、可撓性を有する板状又はシート状の接続部材を利用したコネクタに関する。
【背景技術】
【０００２】
従来、FPC(Flexible Printed Circuit)やFFC(Flexible Flat Cable)と呼ばれる板状又はシート状の接続部材が知られている。この種の接続部材を接続相手に直接嵌合させることが可能である。その嵌合作業を容易にするため、例えば特許文献１ではFFCの端末部にクリップを取り付け、その端末部を折曲状態で保持することが提案されている。
【０００３】
図１８を用いて、特許文献１に開示されている技術を簡単に説明する。
【０００４】
図１８において、FFC１に、その端末部１ａを略直角に折曲した状態で保持するクリップ２を取り付ける。クリップ２は、第１の板部２ａと、第２の板部２ｂと、これらを連結した左右の連結帯部２ｃとを一体に有している。FFC１は、左右の連結帯部２ｃの間の通孔を通って第１の板部２ａと第２の板部２ｂとの間に挟まれている。FFC１の端末部１ａはクリップ２の外部に先端が露出している。したがって、端末部１ａの先端部をコネクタ３の装着口３ａに挿入することにより、FFC１をコネクタ３に直接的に嵌合させることが可能である。
【先行技術文献】
【特許文献】
【０００５】
【特許文献１】特開平６−２８３２３６号公報
【発明の概要】
【発明が解決しようとする課題】
【０００６】
しかしながら、特許文献１ではFFCの折曲位置について何ら考慮が払われていないため、折曲位置の精度の低下によりFFCの端末部の露出長にバラツキが生じやすい。また、可撓性を有するといえども厳密に直角に曲がることはないので、FFCを曲げる際や嵌合操作時にFFCの折曲位置から先端部にかけて不慮の撓みを生じやすい。折曲位置がずれたり、撓みが生じると、嵌合時の接触有効長が短くなり、接触不良を起こしやすい。
【０００７】
また、嵌合操作時にFFCの先端が接続相手に直接衝突することがある。その場合にはFFCが破損して接触不良を起こすことが想定できる。
【０００８】
それ故に本発明の目的は、可撓性を有する接続部材を接続相手に接続するために利用しているにもかかわらず、接触不良を低減することが可能なコネクタを提供することにある。
【課題を解決するための手段】
【０００９】
本発明の一態様に係るコネクタは、第１の方向で接続相手と嵌合接続されるコネクタであって、前記接続相手に接続するための可撓性を有する板状又はシート状の接続部材と、互いに協働して前記接続部材を両面側から挟み込んだベース及びカバーとを含み、前記接続部材は、前記第１の方向にのびて前記接続相手に接続する第１の部分と、前記第１の方向に交差する第２の方向にのびた第２の部分と、前記第１の部分と前記第２の部分との間の折曲部とを有し、前記第１の部分のうち少なくとも前記折曲部に隣接する部分に、前記第１の方向及び前記第２の方向に直交する第３の方向で前記接続部材の寸法を大にする耳部を設け、前記カバーに、嵌合操作時に前記耳部の縁を前記第１の方向で押す作用部を設けたことを特徴とする。
【００１０】
また、嵌合部の先端部には接続部材の先端を覆う保護部を設けたことを特徴とする。
【発明の効果】
【００１１】
本発明の一態様に係るコネクタは、耳部を基準にして接続部材を折り曲げることで、一定の接触有効長を得ることができ、したがって接触不良を低減することが可能である。また、カバーに設けた作用部を耳部の縁に当接させることで、嵌合操作時に接続部材の第１の部分を接続相手に容易に嵌合させることができる。
【００１２】
また、嵌合部の先端部に接続部材の先端を覆う保護部を設けることにより、接続部材が接続相手に直接衝突することを防止できる。
【図面の簡単な説明】
【００１３】
【図１】可撓性を有する板状又はシート状の接続部材の一例を示し、（ａ）は斜視図、（ｂ）は側面図。
【図２】プラグとレセプタクルとからなるコネクタセットの一例の接続前状態を示す斜視図。
【図３】図２のコネクタセットの接続途中状態を示す拡大断面斜視図。
【図４】図２のコネクタセットの接続完了状態を示す外観斜視図。
【図５】図２のコネクタセットのプラグを組み立てる際の第１ステップを説明するための説明図。
【図６】図５（ａ）の一部のみを異なる角度から見た拡大図。
【図７】図２のコネクタセットのプラグを組み立てる際の第２ステップを説明するための説明図。
【図８】図７（ｂ）のＶＩＩＩ−ＶＩＩＩ線に沿って得られた拡大断面斜視図。
【図９Ａ】図７（ｂ）のＩＸ−ＩＸ線に沿って得られた断面図。
【図９Ｂ】図７（ｂ）のＩＸ−ＩＸ線に沿って得られた要部のみの拡大断面斜視図。
【図１０】コネクタとしてのプラグとレセプタクルとからなるコネクタセットの他例の接続前状態を示す斜視図。
【図１１】図１０のコネクタセットの接続完了状態の内部構造の一部を示す拡大断面斜視図。
【図１２】図１０のコネクタセットの接続完了状態の内部構造の他部を示す拡大断面斜視図。
【図１３】図１０のコネクタセットのプラグを組み立てる際の第１ステップを説明するための説明図。
【図１４】図１３（ａ）の一部のみを異なる角度から見た拡大図。
【図１５】図１０のコネクタセットのプラグを組み立てる際の第２ステップを説明するための説明図。
【図１６】図１５（ｂ）のＸＶＩ−ＸＶＩ線に沿って得られた拡大斜視図。
【図１７】図１５（ｂ）のＸＶＩＩ−ＸＶＩＩ線に沿って得られた拡大断面図。
【図１８】特許文献１（特開平６−２８３２３６号公報）に開示されている技術を説明するための斜視図。
【発明を実施するための形態】
【００１４】
図１から図９を参照して、本発明の第１の実施形態について説明する。
【００１５】
図１は、本発明の第１の実施形態に係るコネクタに使用される可撓性を有する板状又はシート状の接続部材１０の一例を示している。接続部材１０はFPC又はFFCよりなり、接続相手と嵌合接続される方向である第１の方向（嵌合方向）Ａ１にのびて接続相手に接続する平板状の第１の部分１１と、第１の方向Ａ１に直交して交差する第２の方向（長手方向）Ａ２にのびた平板状の第２の部分１２と、第１の部分１１と第２の部分１２との間の湾曲形成された折曲部１３とを有している。即ち、接続部材１０は、第１の部分１１と第２の部分１２とが互いに実質的に直角を成すように予め曲げ形成されている。ここで、第１の部分１１は後文から明らかになるようにコネクタの接触有効長に関わる部分となるため、その第１の方向Ａ１での寸法Ｌの公差短縮が求められる。
【００１６】
第１の部分１１には、第１の方向Ａ１及び第２の方向Ａ２に直交する第３の方向（幅方向）Ａ３で接続部材１０の寸法を大にする対の耳部１４を設けている。耳部１４は、図１において第１の部分１１のほぼ全体から接続部材１０の幅方向に突出しているが、第１の部分１１のうち折曲部１３に隣接する部分にのみ設けることもできる。即ち、耳部１４は、第１の部分１１のうち少なくとも折曲部１３に隣接する部分に設けられるとよい。
【００１７】
接続部材１０の寸法を大にする耳部１４を第１の部分１１のうち折曲部１３に隣接する部分に設けているので、耳部１４を基準にして接続部材１０を曲げることにより折曲部１３を形成することができる。したがって、曲げ位置即ち折曲部１３の位置の精度を高くとることができ、一定の接触有効長を容易に得ることができる。即ち、第１の方向Ａ１での寸法Ｌの公差短縮が容易に可能である。
【００１８】
第１の部分１１の外面、即ち、図１（ｂ）の左側面には接続部材１０の多数の信号用導体１５が外部に露出し、接続相手との嵌合接続時に接続相手に接触する接点部を構成している。なお、これらの信号用導体１５は所定ピッチをもって第３の方向Ａ３に配列され、かつ、第１の部分１１から折曲部１３を通って第２の部分１２にまで連続的にのびているものである。
【００１９】
また耳部１４を含む第１の部分１１の内面、即ち、図１（ｂ）の右側面には絶縁性の補強板１６が貼り付けられている。補強板１６は、第１の部分１１のうち少なくとも第１の方向Ａ１における第２の部分１２とは反対側の縁（自由端）１７の近傍に備えられる。したがって、接続部材１０の第１の部分１１の先端部は補強板１６により補強されて曲がりにくくなるので、多少の外力を受けても撓むことはない。
【００２０】
第２の部分１２は、その内側面即ち下面に、グランド用導体１８を備えている。なお、図中では第２の部分１２は第２の方向Ａ２での寸法が限定記載されているが、実際には図１（ｂ）において右方向に長く延長されていてもよい。
【００２１】
図２は、接続相手となるレセプタクル２０と本発明の第１の実施形態に係るコネクタとしてのプラグ３０とからなるコネクタセットの接続前状態を示し、図３はそのコネクタセットの接続途中状態を示し、図４はそのコネクタセットの接続完了状態を示す。
【００２２】
レセプタクル２０は、ここでは基板２１に搭載された状態で示し、絶縁性のレセプタクルハウジング２２と、レセプタクルハウジング２２に組み付けた導電性の多数の信号コンタクト２３及び導電性の一つ又は複数のグランドコンタクト２４とを含んでいる。レセプタクルハウジング２２は第３の方向Ａ３に長くのびた嵌合穴２５を有している。信号コンタクト２３は、嵌合穴２５の上部において前記所定ピッチをもって第３の方向Ａ３に離間配列された信号接点２６をそれぞれ有している。グランドコンタクト２４は、嵌合穴２５の下部に配置された少なくとも一つのグランド接点２７を有している。
【００２３】
プラグ３０は、上述した接続部材１０と、互いに協働して接続部材１０を両面側から挟み込んだベース３１及びカバー３２とを含んでいる。ベース３１は接続部材１０の折曲部１３に対向した凸面３３を有している。カバー３２は折曲部１３に対向した凹面３４を有している。即ち、凸面３３をもつベース３１と凹面３４をもつカバー３２とで接続部材１０の形状を維持するように構成している。
【００２４】
ベース３１はさらに、凸面３３の一側で第１の方向Ａ１及び第３の方向Ａ３に広がった板状の第１の受け部３５と、凸面３３の反対側で第２の方向Ａ２及び第３の方向Ａ３に広がった板状の第２の受け部３６とを有している。第１の受け部３５は接続部材１０の第１の部分１１に対向し、第２の受け部３６は接続部材１０の第２の部分１２に対向している。換言すると、接続部材１０はベース３１の一面側に概ね沿って配置されている。ベース３１の反対面側には導電性のベースグランド３７が備えられている。第１の受け部３５には、接続部材１０の第１の部分１１の縁１７を覆って保護する第１の保護部３８と、ベースグランド３７の端を覆って保護する第２の保護部３９とが設けられている。
【００２５】
カバー３２はさらに、凹面３４の一側で接続部材１０の第１の部分１１を押さえる第１の押さえ部４１と、凹面３４の反対側で接続部材１０の第２の部分１２を押さえる第２の押さえ部４２とを有している。第１の押さえ部４１は第１の保護部３８から離間して終端している。したがって、第１の押さえ部４１と第１の保護部３８との間において接続部材１０の多数の信号用導体１５が外部に露出した状態が得られる。
【００２６】
こうして、プラグ３０には、接続部材１０の一部、ベース３１の一部、及びベースグランド３７の一部により構成される嵌合部４３が形成されている。なお、嵌合部４３の上面には、接続部材の多数の信号用導体１５により構成された接点部が前記所定ピッチをもって第３の方向Ａ３に離間配列された状態で露出している。
【００２７】
レセプタクル２０にプラグ３０を接続するとき、嵌合部４３は嵌合穴２５に嵌合される。その際、信号用導体１５により構成された接点部がレセプタクル２０の信号接点２６に一対一で対応接触する。一方、ベースグランド３７はレセプタクル２０のグランド接点２７に接触する。かくして、プラグ３０はレセプタクル２０に電気的に接続される。
【００２８】
嵌合部４３の先端部には、接続部材１０の先端を覆う第１の保護部３８が設けられているので、嵌合操作時の接続部材１０の破損を防止できる。なお、信号接点２６とグランド接点２７との間に嵌合部４３をスムースに挿入できるようにするため、第１の保護部３８及び第２の保護部３９の一方若しくは両方の先端面に面取りを施すことは好ましい。
【００２９】
ベース３１はさらに、第１の受け部３５の第３の方向Ａ３における両端部に対のロック機構４４を備えている。ロック機構４４は、レセプタクル２０にプラグ３０を接続する際に、嵌合部４３と共にレセプタクル２０の嵌合穴２５に挿入され、レセプタクルハウジング２２にクリック感をもって第１の方向Ａ１で係合する。この結果、レセプタクル２０とプラグ３０との接続状態はロックされる。なお、ベース３１の上面の操作穴４５から操作することによりロック機構４４のロックを解除できるようにすることは好ましい。
【００３０】
次に図５から図８を参照して、プラグ３０の組み立て方法をその詳細構造と共に説明する。
【００３１】
プラグ３０を組み立てる際の図５に示す第１ステップにおいて、（ａ）のように接続部材１０とベース３１とを用意する。ベース３１の第３の方向Ａ３における両端には対の壁部４６がそれぞれ設けられている。対の壁部４６には、第１の受け部３５に隣接した位置に、具体的には、第１の受け部３５の外面に沿った位置に、互いに対向して第１の方向Ａ１にのびた対の耳部ガイド４７が形成されている。対の耳部ガイド４７の各々は、図６に示すような溝よりなる。次に（ｂ）のように接続部材１０を対の壁部４６の間に装着する。接続部材１０を装着する際、対の耳部１４を対の耳部ガイド４７にそれぞれ挿入する。かくして、接続部材１０の第１の部分１１がベース３１の第１の受け部３５の外面に対向し、かつ、接続部材１０の第２の部分１２がベース３１の第２の受け部３６の上面に対向する。また接続部材１０の第１の部分１１において、信号用導体１５が外向きに露出した状態が得られる。
【００３２】
なお、図６からも理解できるように、ベース３１の対の壁部４６には、さらに、耳部ガイド４７に引き続いて第１の方向Ａ１にのびた、第３の方向Ａ３で互いに対向する対の案内溝４８と、案内溝４８の隣に形成された第３の方向Ａ３で互いに対向する対のカバー取付部４９とが設けられている。
【００３３】
プラグ３０を組み立てる際の図７に示す第２ステップにおいて、（ａ）のようにさらにカバー３２を用意する。カバー３２の第３の方向Ａ３における両端には、案内突起５１と係合部５２とが設けられている。（ｂ）のようにカバー３２も対の壁部４６の間に装着される。カバー３２が装着される際に、案内突起５１が案内溝４８に挿入されて第１の方向Ａ１にスライドしつつ装着を案内する。案内突起５１及び案内溝４８は合せて案内機構として働く。
【００３４】
ベース３１に対しカバー３２が接続部材１０に当る位置まで装着されると、係合部５２がカバー取付部４９に第１の方向Ａ１で係合する。かくして、カバー３２のベース３１からの離脱が阻止される。
【００３５】
組立完了状態においては、図８に示すように、案内突起５１の端部に設けた作用部５３が第１の方向Ａ１で耳部ガイド４７の端部に位置し、結果として、接続部材１０の耳部１４の縁に第１の方向Ａ１で当接している。このため、嵌合操作時にはカバー３２の両端部が接続部材１０の対の耳部１４をそれぞれ押し、直接、接続部材１０に嵌合方向に力を作用させることになる。したがって、接続部材１０の先端の撓みによる接触不良を防止できる。
【００３６】
さらに、図９Ａ及び図９Ｂに示すように、ベースグランド３７にベース３１を貫通して接続部材１０のグランド用導体１８に圧接したバネ５４を備えている。結果として、バネ５４は接続部材１０の第２の部分１２をカバー３２の第２の押さえ部４２に向けて押圧している。したがって、接続部材１０の第２の部分１２はカバー３２の第２の押さえ部４２に当接した状態にある。なお、接続部材１０の第２の部分１２はベース３１の第２の受け部３６に接触していてもよいし、また、製造公差などにより第２の受け部３６から離れて少し浮き上がっていてもよい。
【００３７】
このときのバネ５４による押圧位置を、ベース３１のカバー取付部４９（図５〜図７参照）から見て、第２の方向Ａ２において接続部材１０の第１の部分１１とは反対側に設定する。換言すると、カバー取付部４９の位置を、第１の部分１１とバネ５４との中間に設定する。この結果、バネ５４により押された接続部材１０には、カバー取付部４９を支点としたモーメントが与えられる。このモーメントにより、接続部材１０の特に第１の部分１１をベース３１の第１の受け部３５の外面に押し付けることになる。したがって、第１の部分１１、特に、その先端部がベース３１に当接した状態を維持されるので、嵌合接続時などに外力を受けて撓んで接触不良を起こすような虞を低減できる。
【００３８】
次に図１０から図１６を参照して、本発明の第２の実施形態について説明する。なお、図１から図９までと同様な機能をもつ部分については、同じ参照符号を付して説明を省略する。
【００３９】
図１０は、接続相手となるレセプタクル６０と本発明の第２の実施形態に係るコネクタとしてのプラグ７０とからなるコネクタセットの接続前状態を示し、図１１は、図１０のコネクタセットの接続完了状態の内部構造の一部を示し、図１２は、図１０のコネクタセットの接続完了状態の内部構造の他部を示す。
【００４０】
このコネクタセットのレセプタクル６０においては、信号コンタクト２３の信号接点２６は、嵌合穴２５の下部において前記所定ピッチをもって第３の方向Ａ３に離間配列されている。一方、グランドコンタクト２４の少なくとも一つのグランド接点２７は、嵌合穴２５の上部に配置されている。このように、レセプタクル６０は、前述したレセプタクル２０とは、信号接点２６及びグランド接点２７の位置関係が上下反転している。したがって、プラグ７０は、このレセプタクル６０に適合するように前述したプラグ３０から変更されている。
【００４１】
図１３から図１６を参照しながら、プラグ７０の組み立て方法を用いて、主に前述したプラグ３０から変更された点を説明する。なお、説明しない部分については前述したプラグ３０と同様な構成及び作用を有するものとする。
【００４２】
プラグ７０を組み立てる際の図１３に示す第１ステップにおいて、（ａ）のように接続部材１０ａとベース３１ａとを用意する。
【００４３】
接続部材１０ａは、図１に示す接続部材１０とは次の点で異なる。即ち、接続部材１０ａの第１の部分１１の内面（即ち、図１（ｂ）における第１の部分１１の右側面に相当する）には多数の信号用導体１５が外部に露出し、接続相手との嵌合接続時に接続相手に接触する接点部を構成している。
【００４４】
また耳部１４を含む第１の部分１１の外面（即ち、図１（ｂ）の第１の部分１１の左側面に相当する）には、図１（ｂ）に示す補強板１６と同様な機能及び形態を有する絶縁性の補強板（図示せず）が貼り付けられている。したがって、接続部材１０ａの第１の部分１１の先端部は補強板により補強されて曲がりにくくなるので、多少の外力を受けても撓むことはない。
【００４５】
この接続部材１０ａにおいても、信号用導体１５が所定ピッチをもって第３の方向Ａ３に配列され、かつ、第１の部分１１から折曲部１３を通って第２の部分１２にまで連続的にのびている点は、図１に示す接続部材１０と同じである。
【００４６】
また、接続部材１０ａの寸法を大にする耳部１４を第１の部分１１のうち折曲部１３に隣接する部分に設けているので、耳部１４を基準にして接続部材１０ａを曲げることにより折曲部１３を形成することができる。したがって、曲げ位置即ち折曲部１３の位置の精度を高くとることができ、一定の接触有効長を容易に得ることができる。
【００４７】
一方、ベース３１ａの対の壁部４６にそれぞれ設けた対の耳部ガイド４７（図１４参照）は、第１の受け部３５の内面８１に沿った位置において第１の方向Ａ１にのびている。さらに、第１の受け部３５と第２の受け部３６との間に、第３の方向Ａ３にのびて対の耳部ガイド４７をつないだスリット８２が形成されている。
【００４８】
次に、図１３（ｂ）のように接続部材１０ａを対の壁部４６の間に装着する。接続部材１０ａを装着する際、接続部材１０ａの第１の部分１１をスリット８２（図１４参照）に挿入しつつ、対の耳部１４を対の耳部ガイド４７にそれぞれ挿入する。かくして、接続部材１０ａの第１の部分１１がベース３１ａの第１の受け部３５の内面８１に対向し、かつ、接続部材１０ａの第２の部分１２がベース３１ａの第２の受け部３６の上面に対向する。また接続部材１０ａの第１の部分１１において、信号用導体１５が内向きに露出した状態が得られる。
【００４９】
なお、図１３（ｂ）に示すように、ベース３１ａの対の壁部４６には、さらに、第２の方向Ａ２にのびた、第３の方向Ａ３で互いに対向する対の案内溝８３と、案内溝８３内に形成された第３の方向Ａ３で互いに対向する対のカバー取付部８４とが設けられている。
【００５０】
プラグ７０を組み立てる際の図１５に示す第２ステップにおいて、（ａ）のようにさらにカバー３２ａを用意する。カバー３２ａの第３の方向Ａ３における両端には、案内突起８５と係合部８６とが設けられている。カバー３２ａは対の壁部４６の間に接続部材１０ａの第２の部分１２に沿って第２の方向Ａ２に移動させつつ装着される。カバー３２ａを装着する際に、案内突起８５が案内溝８３に挿入されて第２の方向Ａ２にスライドしつつ装着を案内する。案内突起８５及び案内溝８３は合せて案内機構として働く。
【００５１】
カバー３２ａが所定の位置に装着されると、係合部８６がカバー取付部８４に第２の方向Ａ２で係合する。かくして、カバー３２ａのベース３１ａからの離脱が阻止される。
【００５２】
組立完了状態においては、図１６に示すように、案内突起８５の端部に設けた作用部１００が第１の方向Ａ１で耳部ガイド４７の端部に位置し、結果として、接続部材１０ａの耳部１４の縁に第１の方向Ａ１で当接している。このため、嵌合操作時にはカバー３２ａの両端部が接続部材１０ａの対の耳部１４をそれぞれ押し、直接、接続部材１０ａに嵌合方向Ａ１に力を作用させることになる。したがって、接続部材１０ａの先端の撓みによる接触不良を防止できる。
【００５３】
また図１７に示すように、嵌合部４３の先端部には、ベースグランド３７の先端及び接続部材１０ａの先端を覆う第１の保護部３８が設けられているので、嵌合操作時のベースグランド３７及び接続部材１０の破損を防止できる。なお、信号接点２６とグランド接点２７との間に嵌合部４３をスムースに挿入できるようにするため、第１の保護部３８の先端面に面取りを施すことが好ましいことは言うまでもない。
【００５４】
さらに、本発明の第１の実施形態において説明したバネ５４と同様な機能をもつバネをカバー３２ａに備え、そのバネによって接続部材１０ａにモーメントを与え、このモーメントにより、接続部材１０ａの特に第１の部分１１をベースグランド３７に向けて押圧するように構成することは好ましい。その場合には、第１の部分１１、特に、その先端部がベースグランド３７に当接した状態を維持されるので、嵌合接続時などに外力を受けて撓んで接触不良を起こすような虞を低減できる。
【００５５】
なお、本発明は上記実施形態に限られることはなく、またその一部又は全部は以下の付記のようにも記載され得るがそれらにも限らない。
【００５６】
（付記１）
第１の方向Ａ１で接続相手２０，６０と嵌合接続されるコネクタであって、前記接続相手に接続するための可撓性を有する板状又はシート状の接続部材１０、１０ａと、互いに協働して前記接続部材を両面側から挟み込んだベース３１，３１ａ及びカバー３２，３２ａとを含み、前記接続部材は、前記第１の方向にのびて前記接続相手に接続する第１の部分１１と、前記第１の方向に交差する第２の方向Ａ２にのびた第２の部分１２と、前記第１の部分と前記第２の部分との間の折曲部１３とを有し、前記第１の部分のうち少なくとも前記折曲部に隣接する部分に、前記第１の方向及び前記第２の方向に直交する第３の方向Ａ３で前記接続部材の寸法を大にする耳部１４を設け、前記カバーに、嵌合操作時に前記耳部の縁を前記第１の方向で押す作用部５３，１００を設けたことを特徴とするコネクタ３０，７０。
【００５７】
（付記２）
前記第２の部分を前記カバーに向けて押圧するバネ５４を備えた、付記１に記載のコネクタ。
【００５８】
（付記３）
前記ベースと前記カバーとは、前記第１の部分と前記バネとの中間で互いに連結されている、付記２に記載のコネクタ。
【００５９】
（付記４）
前記ベースは導電性のベースグランド３７を備え、前記バネは前記ベースグランドに設けたものである、付記２又は３に記載のコネクタ。
【００６０】
（付記５）
前記第２の部分は前記ベースに前記第１の方向で対向したグランド用導体１８を備え、前記バネは前記グランド用導体に圧接している、付記２から４のいずれか一項に記載のコネクタ。
【００６１】
（付記６）
前記第１の部分には、少なくとも、前記第１の方向において前記第２の部分とは反対側の縁の近傍に、補強板１６が貼り付けられている、付記１から５のいずれか一項に記載のコネクタ。
【００６２】
（付記７）
前記ベースは前記第１の部分に対向した受け部３５を有し、前記受け部には、前記第１の部分の前記第１の方向における自由端を覆う保護部３８が設けられている、付記１から６のいずれか一項に記載のコネクタ。
【００６３】
（付記８）
前記接続部材は、前記第１の部分、前記折曲部、及び前記第２の部分にかけて連続的にのびた信号用導体１５を有し、前記信号用導体は、前記保護部と前記カバーとの間で外部に露出して嵌合接続時に前記接続相手に接触する接点部を有する、付記７に記載のコネクタ。
【００６４】
（付記９）
前記ベースは、前記第１の方向にのびて前記耳部を受け入れた耳部ガイド４７を有し、前記作用部は前記耳部ガイドの端部に位置している、付記１から８のいずれか一項に記載のコネクタ。
【００６５】
（付記１０）
前記ベースは、前記第１の部分と前記バネとの中間に、前記カバーを取り付けるためのカバー取付部４９，８４を有する、付記９に記載のコネクタ。
【００６６】
（付記１１）
前記ベースに対し前記カバーを前記第１の方向で案内する案内機構４８，５１を備え、前記カバーは、前記カバー取付部に前記第１の方向で係合して前記ベースからの離脱を阻止する係合部５２を有する、付記１０に記載のコネクタ。
【００６７】
（付記１２）
前記ベースに対し前記カバーを前記第２の方向で案内する案内機構８３，８５を備え、前記カバーは、前記カバー取付部に前記第２の方向で係合して前記ベースからの離脱を阻止する係合部８６を有する、付記１０に記載のコネクタ。
【００６８】
（付記１３）
前記ベースは、前記第３の方向における両端部に、前記接続相手との嵌合接続を機械的にロックするロック機構４４を備えた、付記１から１２のいずれか一項に記載のコネクタ。
【符号の説明】
【００６９】
１  FFC
１ａ  端末部
２  クリップ
２ａ  第１の板部
２ｂ  第２の板部
２ｃ  連結帯部
３  コネクタ
３ａ  装着口
１０，１０ａ  接続部材
１１  第１の部分
１２  第２の部分
１３  折曲部
１４  耳部
１５  信号用導体
１６  補強板
１７  第１の部分の縁（自由端）
１８  グランド用導体
２０，６０  レセプタクル
２１  基板
２２  レセプタクルハウジング
２３  信号コンタクト
２４  グランドコンタクト
２５  嵌合穴
２６  信号接点
３０，７０  プラグ（コネクタ）
３１，３１ａ  ベース
３２，３２ａ  カバー
３３  凸面
３４  凹面
３５  第１の受け部
３６  第２の受け部
３７  ベースグランド
３８  第１の保護部
３９  第２の保護部
４１  第１の押さえ部
４２  第２の押さえ部
４３  嵌合部
４４  ロック機構
４５  操作穴
４６  壁部
４７  耳部ガイド
４８，８３  案内溝（案内機構）
４９，８４  カバー取付部
５１，８５  案内突起（案内機構）
５２，８６  係合部
５３，１００  作用部
５４  バネ部
８１  第１の受け部の内面
８２  スリット
Ａ１  第１方向
Ａ２  第２の方向
Ａ３  第３の方向
【図１】
0005826565.tif 000002
【図２】
0005826565.tif 000003
【図３】
0005826565.tif 000004
【図４】
0005826565.tif 000005
【図５】
0005826565.tif 000006
【図６】
0005826565.tif 000007
【図７】
0005826565.tif 000008
【図８】
0005826565.tif 000009
【図９Ａ】
0005826565.tif 000010
【図９Ｂ】
0005826565.tif 000011
【図１０】
0005826565.tif 000012
【図１１】
0005826565.tif 000013
【図１２】
0005826565.tif 000014
【図１３】
0005826565.tif 000015
【図１４】
0005826565.tif 000016
【図１５】
0005826565.tif 000017
【図１６】
0005826565.tif 000018
【図１７】
0005826565.tif 000019
【図１８】
0005826565.tif 000020